(57)【要約】【課題】緊結材のデッキ表面への突出を排除するとともに、作業性及び施工性に優れ、構造体上での長尺床材の位置調整を容易にする。【解決手段】デッキ１は、複数本の長尺床材２が一定間隔を隔てて構造体３上に敷設され、各長尺床材２が、夫々隣接する長尺床材２ａ、２ｂ間においてデッキ固定部材４により連結されるとともに構造体３に固定されてなる。長尺床材２は長尺体からなり、その板傍２１に上縁部２２と下面２３に水平な下縁部２４とを有する連結溝２５が設けられている。デッキ固定部材４には、一定間隔を隔てて隣接する長尺床材２ａ、２ｂの間に挿入するとともに構造体３と接合する突起部４１と、長尺床材２の下縁部２４を下方に押圧して隣接する長尺床材２ａ、２ｂを連結する押圧部４５とが設けられ、突起部４１の突起方向の長さ４Ｌは、長尺床材２の下面２３から下縁部２４への高さ２Ｈよりも短く設定されている。【選択図】図１
2004027724.tif 000002
【特許請求の範囲】
【請求項１】
床面を形成する複数本の長尺床材が一定間隔を隔てて構造体上に敷設され、各長尺床材が、夫々隣接する長尺床材間においてデッキ固定部材により連結されるとともに構造体に固定されてなるデッキであって、
前記長尺床材には、その板傍に上縁部と当該長尺床材の下面に水平な下縁部とを有する連結溝が設けられ、
前記デッキ固定部材には、一定間隔を隔てて隣接する前記長尺床材間に嵌まるとともに前記構造体と接合する突起部と、前記長尺床材の下縁部を下方に押圧して隣接する長尺床材を連結する押圧部とが設けられ、
前記突起部の突起方向の長さは、前記長尺床材の下面から下縁部への高さよりも短く設定されていることを特徴とするデッキ。
【発明の詳細な説明】
【０００１】
【発明の属する技術分野】
本発明は、デッキに関する。
【０００２】
【従来の技術】
従来、根太上に長尺床材を接合してデッキを組み立てる方法には、図８に示すような（ａ）突付けや、（ｂ）実矧ぎ等の方法が用いられている。
【０００３】
図８（ａ）の突付けは、単に長尺床材９１同士を突き合わせただけの接合で、長尺床材９１の表面９２から釘やビス等の緊結材９３を用いて根太９４に固定する。
【０００４】
一方、図８（ｂ）の実矧ぎは、長尺床材９５の長手側面である板傍９６の一方に凸型の突起（実）９７を形成し、もう一方をそれに合わせて小穴９８を突いて差し合わせる矧ぎ合わせ法である。留め付けは、実９７の付け根部分に斜めに釘打ち９９され、矧ぎ合わせ後は釘が見えなくなる。
【０００５】
前者の場合は、長尺床材に加工を施す必要もなく、固定も単に緊結材を根太に打ち込む或いはねじ込む等するだけでよいため、作業性に優れており、後者の場合は、固定用の釘等が見えないため見栄えがよい、などそれぞれに優れた点がある。
【０００６】
【発明が解決しようとする課題】
しかしながら、突付けを採用したデッキの場合、デッキ表面には緊結材の頭部が突出するため、歩行の際にこの頭部でけがをしたりするなど安全面で問題があった。特に木製のデッキの場合、デッキは一般に屋外に設けられ風雨にさらされることから、材の変形や腐朽が発生し易く、これによって緊結材の頭部がデッキ表面に簡単に突出するため、安全性に劣っていた。また、隣接する長尺床材間の目地幅を例えば５ｍｍ幅にしようとすると、隣接する長尺床材間を広げながら５ｍｍ寸法を測り、あるいは５ｍｍ幅の板きれをスペーサとして隣接する長尺床材間に用いて５ｍｍ寸法を測る等、施工面でも不備があった。
【０００７】
一方、実矧ぎを採用したデッキの場合、緊結材がデッキ面上には現れないため、突付けにおけるような安全面での問題はないが、長尺床材間に隙間を有しないため、雨水の排水が円滑に行われない。このため、いつまでも長尺床材上に雨水が溜まったままになり易く、そこに塵等が溜まって長尺床材表面を汚損するなど、排水性及び防汚性に劣っていた。
【０００８】
また、上述した突付けまたは実矧ぎを採用したデッキの場合、根太上に長尺床材を緊結材を用いて固定するため、長尺床材を構造体上でスライドさせて位置調整することは難しい。そのため、突付けまたは実矧ぎを採用したデッキの使用状況および組立状況に応じて目地幅の寸法を調節することができない。
【０００９】
ところで、上述した突付けまたは実矧ぎを採用したデッキには、木粉と合成樹脂とからなる合成木材製長尺床材が用いられている。この合成木材製長尺床材は、天然木材に比べて加工性、耐久性に優れている。
【００１０】
しかし、この合成木材は、天然木の性質、合成樹脂の性質それぞれを持ち合わせた素材であるため、例えば、加熱および吸水によって伸縮する。そのため、上述した突付けや実矧ぎの方法で根太に長尺床材を固定すると、その固定部分が長尺床材の伸縮に追随できずに長尺床材が盛り上がったり、その固定部分に応力が集中してその固定部分から長尺床材が割れたり、その固定部分に用いた緊結材が長尺床材から外れたりすることがある。
【００１１】
そこで、上記課題を解決するために本発明は、歩行の際に危険個所となる、緊結材のデッキ表面への突出を排除するとともに、作業性及び施工性に優れ、構造体上での長尺床材の位置調整を容易にするデッキを提供することを目的とする。
【００１２】
【課題を解決するための手段】
上記目的を達成するため本発明に係るデッキは、床面を形成する複数本の長尺床材が一定間隔を隔てて構造体上に敷設され、各長尺床材が、夫々隣接する長尺床材間においてデッキ固定部材により連結されるとともに構造体に固定されてなるデッキであって、前記長尺床材には、その板傍に上縁部と当該長尺床材の下面に水平な下縁部とを有する連結溝が設けられ、前記デッキ固定部材には、一定間隔を隔てて隣接する前記長尺床材間に嵌まるとともに前記構造体と接合する突起部と、前記長尺床材の下縁部を下方に押圧して隣接する長尺床材を連結する押圧部とが設けられ、前記突起部の突起方向の長さは、前記長尺床材の下面から下縁部への高さよりも短く設定されていることを特徴とする。
【００１３】
この発明によれば、長尺床材にその下面に水平な下縁部とを有する連結溝が設けられ、デッキ固定部材に突起部と押圧部とが設けられているので、デッキ固定部材をデッキ表面から突出させずに長尺床材の下縁部を下方に押圧して長尺床材を構造体に固定することが可能となり、その結果、施工外観を向上させることが可能となる。さらに、突起部の突起方向の長さが、長尺床材の下面から下縁部への高さよりも短く設定されているので、長尺床材が構造体に固定された際、構造体の上面とデッキ固定部材の突起部端面との間に空隙を生じさせることが可能となり、突起部が支点となって押圧部の長尺床材を押圧する力に弾性力が生じて、長尺床材を構造体に強く固定することが可能となる。また、デッキ固定部材の押圧部が長尺床材の下面と水平な下縁部を下方に押圧しているので、押圧部を下縁部上でスライドさせることが可能となる。そのため、加熱および吸水などが原因となり長尺床材が伸縮しても、その伸縮に追随してデッキ固定部材の押圧部が長尺床材の下縁部上でスライドして、押圧部により押圧している長尺床材の下縁部が割れたり、その押圧部が長尺床材の下縁部から外れるのを防止することが可能となる。
【００１４】
また、この発明によれば、デッキ固定部材の押圧部が長尺床材の下縁部を押圧しながらスライドすることが可能となるので、長尺床材を構造体上でスライドさせて位置調整することが可能となる。そのため、デッキの使用状況および組立状況に応じて目地幅の寸法を調節することが可能となる。
【００１５】
例えば、構造体の長尺床材を固定する上面が広い場合、この構造体に長尺床材を固定する、構造体上における長尺床材の固定位置にずれが生じ、固定する長尺床材の最後の数枚は、構造体上からはみ出すことがあるが、本発明によれば、長尺床材を構造体上でスライドさせて位置調整することが可能となるので、隣接する長尺床材間の間隔を広げながら長尺床材の構造体上における固定位置決めが可能となり、いわゆる目地幅調整が可能となる。
【００１６】
また、本発明にかかるデッキ固定部材を、構造体上に隣接して固定する長尺床材間の目地決め用スペーサとして用いることが可能であり、１つ１つ目地幅を合わせながら長尺床材を構造体に固定する必要がなくなり、施工時間を短縮することが可能となる。
【００１７】
【発明の実施の形態】
以下、本発明の実施の形態について図面を参照して説明する。
＜実施の形態１＞
デッキ１は、図１に示すように、床面を形成する複数本の長尺床材２が一定間隔を隔てて構造体３上に敷設され、各長尺床材２が、夫々隣接する長尺床材２ａ、２ｂ間においてデッキ固定部材４により連結されるとともに構造体３に固定されてなる。なお、本実施の形態１における一定間隔の寸法は、５ｍｍである。
【００１８】
構造体３は、アルミニウムから成形された各々複数本ずつの桁（図示省略）と根太３１とを直交状態に接合して形成されている。
【００１９】
長尺床材２は、図２に示すように、長尺体からなり、その板傍２１に上縁部２２と下面２３に水平な下縁部２４とを有する連結溝２５が設けられている。
【００２０】
デッキ固定部材４には、図３に示すように、一定間隔を隔てて隣接する長尺床材２ａ、２ｂの間に嵌まるとともにねじＡを用いて構造体３と接合する突起部４１と、長尺床材２の下縁部２４を下方に押圧して隣接する長尺床材２ａ、２ｂを連結する押圧部４５とが設けられている。
【００２１】
突起部４１は、図３に示すように、デッキ固定部材４の底部を形成している。この突起部４１の突起端面４２には、その長手方向中央部にねじ孔４３が設けられている。また、突起部４１の側面４４は、隣接する長尺床材２ａ、２ｂの相互間隔を保持させるスペーサであり、突起端面４２の両端から立ち上げ形成されている。また、側面４４の突起方向の長さ４Ｌは、長尺床材２の下面２３から下縁部２４への高さ２Ｈよりも１ｍｍ短く設定されている。
【００２２】
押圧部４５は、図３に示すように、突起部４１の両側面４４をそれぞれ外方に向けて直角に折曲するとともに、さらにその先端４６を内側に向けて斜め上方に折り返すことにより形成されている。
【００２３】
次に、このデッキ１の組立工程について、図１を用いて以下に詳説する。
桁（図示省略）と根太３１とを直交状態に接合して構造体３が形成される。形成された構造体３上に、根太３１と垂直方向に長尺床材２ａが配される。構造体３上に配された長尺床材２ａに沿ってデッキ固定部材４が、長尺床材２ａの下縁部２４上に押圧部４５が沿うように配される。配されたデッキ固定部材４は、ねじＡを突起部４１のねじ孔４３から構造体３に挿通して構造体３に接合される。その時、デッキ固定部材４の押圧部４５が長尺床材２ａの下縁部２４を下方に押圧し、長尺床材２ａが構造体３に固定される。そして、構造体３に固定された長尺床材２ａに隣接させるように長尺床材２ｂが配され、デッキ固定部材４の他の押圧部４５に長尺床材２ｂの下縁部２４が下方に押圧されて、図１に示すように、デッキ固定部材４を介して隣接した長尺床材２ａ、２ｂ同士が連結されるとともに長尺床材２ａ、２ｂが構造体３に固定されてデッキ１が組み立てられる。この時、構造体３の上面３２とデッキ固定部材４の突起端面４２との間には、１ｍｍの空隙Ｃ（図１参照）が生じている。
【００２４】
上記したデッキ１によれば、長尺床材２にその下面２３に水平な下縁部２４とを有する連結溝２５が設けられ、デッキ固定部材４に突起部４１と押圧部４５とが設けられているので、デッキ固定部材４をデッキ１の表面１１から突出させずに長尺床材２の下縁部２４を下方に押圧して長尺床材２を構造体３に固定することができ、その結果、施工外観を向上させることができる。さらに、突起部４の突起方向の長さ４Ｌが、長尺床材２の下面２３から下縁部２４への高さ２Ｈよりも短く設定されているので、長尺床材２が構造体３に固定された際、構造体３の上面３２とデッキ固定部材４の突起部４１の突起端面４２との間に空隙を生じさせることができ、突起部４１が支点となって押圧部４５の長尺床材２を押圧する力に弾性力が生じる。その結果、長尺床材２を構造体３に強く固定することができる。また、デッキ固定部材４の押圧部４５が長尺床材２の下面２３と水平な下縁部２４を下方に押圧しているので、押圧部４５を下縁部２４上でスライドさせることができる。そのため、加熱および吸水などが原因となり長尺床材２が伸縮しても、その伸縮に追随してデッキ固定部材４の押圧部４５が長尺床材２の下縁部２４上でスライドして、押圧部４５により押圧している長尺床材２の下縁部２４が割れたり、その押圧部４５が長尺床材２の下縁部２４から外れるのを防止することができる。
【００２５】
また、このデッキ１によれば、長尺床材２の下縁部２４をデッキ固定部材４の押圧部４５が押圧しながらスライドすることができるので、図４に示すように、長尺床材２を構造体３上でスライドさせて位置調整（Ｂ）することができる。そのため、デッキ１の使用状況および組立状況に応じて目地幅の寸法を調節することができる。
【００２６】
例えば、構造体３の長尺床材２を固定する上面３２が広い場合、この構造体３に長尺床材２を固定する、構造体３上における長尺床材２の固定位置にずれが生じ、固定する長尺床材２の最後の数枚は、構造体３上からはみ出すことがあるが、このデッキ１によれば、長尺床材２を構造体３上でスライドさせて位置調整することができるので、隣接する長尺床材２ａ、２ｂ間の間隔を広げながら長尺床材２の構造体３上における固定位置決めができ、いわゆる目地幅調整ができる。
【００２７】
また、このデッキ１に用いるデッキ固定部材４を、構造体３上に隣接して固定する長尺床材２ａ、２ｂ間の目地決め用スペーサとして用いることができ、１つ１つ目地幅を合わせながら長尺床材２を構造体３に固定する必要がなくなり、施工時間を短縮することができる。
【００２８】
なお、本実施の形態１では、側面４４の突起方向の長さ４Ｌを、長尺床材２の下面２３から下縁部２４への高さ２Ｈよりも１ｍｍ短く設定したが、これに限定されるものではなく、デッキ１を組み立てた際に空隙Ｃが生じればよい。具体的には、長さ４Ｌを高さ２Ｈよりも３ｍｍ以下短く設定していれば好ましく、さらに１ｍｍ以下短く設定していればより好ましい。また、デッキ固定部材４を構造体３に接合させるために、ねじＡを用いているが、緊結材であればビスなどであってもよい。また、構造体３は、各々複数本ずつの桁と根太３１とを直交状態に接合して形成されているが、固定する長尺床材と垂直方向に配する根太だけから形成されてもよい。
【００２９】
次に、本発明にかかるデッキ１と同様の効果を有する他の形態のデッキを、以下の実施の形態２、３に示す。
＜実施の形態２＞
この実施の形態２にかかるデッキ５は、上記実施の形態１にかかるデッキ１と、デッキ固定部材が異なるだけであり、他の構成は同じである。したがって、実施の形態１と同様の構成には同一の符号を付し、その説明を省略し、実施の形態１と異なる構成を説明する。
【００３０】
デッキ５は、図５に示すように、複数本の長尺床材２が一定間隔を隔てて構造体３上に敷設され、各長尺床材２が、夫々隣接する長尺床材２ａ、２ｂ間においてデッキ固定部材６により連結されるとともに構造体３に固定されてなる。
【００３１】
デッキ固定部材６には、図６に示すように、Ｔ字状に形成されてなり、一定間隔を隔てて隣接する長尺床材２ａ、２ｂの間に嵌まるとともにねじＡを用いて構造体３と接合する突起部６１と、長尺床材２の下縁部２４を下方に押圧して隣接する長尺床材２ａ、２ｂを連結する押圧部６６とが設けられている。
【００３２】
突起部６１は、図６に示すように、デッキ固定部材６の底部を形成している。この突起部６１の突起端面６２の長手方向中央部にねじ孔６３の一端が設けられている。このねじ孔６３は、デッキ固定部材６の上面６４から突起端面６２に貫通して設けられている。また、突起部６１の側面６５は、隣接する長尺床材２ａ、２ｂの相互間隔を保持させるスペーサである。また、側面６５の突起方向の長さ６Ｌは、長尺床材２の下面２３から下縁部２４への高さ２Ｈよりも短く設定されている。
【００３３】
押圧部６６は、図６に示すように、突起部６１の基部から垂直方向に延出して形成され、その端面６７が傾斜して形成されている。
【００３４】
次に、このデッキ５の組立工程について、図５を用いて以下に詳説する。
桁（図示省略）と根太３１とを直交状態に接合して構造体３が形成される。形成された構造体３上に、根太３１と垂直方向に長尺床材２ａが配される。構造体３上に配された長尺床材２ａに沿ってデッキ固定部材６が、長尺床材２ａの下縁部２４上に押圧部６６が沿うように配される。配されたデッキ固定部材６は、ねじＡを上面６４から突起端面６２に貫通するねじ孔６３から構造体３に挿通して構造体３に接合される。その時、デッキ固定部材６の押圧部６６が長尺床材２ａの下縁部２４を下方に押圧し、長尺床材２ａが構造体３に固定される。そして、構造体３に固定された長尺床材２ａに隣接させるように長尺床材２ｂが配され、デッキ固定部材６の他の押圧部６６に長尺床材２ｂの下縁部２４が下方に押圧され、図６に示すように、デッキ固定部材６を介して隣接した長尺床材２ａ、２ｂ同士が連結されるとともに長尺床材２ａ、２ｂが構造体３に固定されてデッキ５が組み立てられる。この時、構造体３の上面３２とデッキ固定部材６の突起端面６２との間には、空隙Ｃ（図５参照）が生じている。
＜実施の形態３＞
この実施の形態３にかかるデッキ７は、上記実施の形態１にかかるデッキ１と、デッキ固定部材が異なるだけであり、他の構成は同じである。したがって、実施の形態１と同様の構成には同一の符号を付し、その説明を省略し、実施の形態１と異なる構成を説明する。
【００３５】
デッキ７は、図７に示すように、複数本の長尺床材２が一定間隔を隔てて構造体３上に敷設され、各長尺床材２が、夫々隣接する長尺床材２ａ、２ｂ間においてデッキ固定部材８により連結されるとともに構造体３に固定されてなる。
【００３６】
デッキ固定部材８には、図７に示すように、一定間隔を隔てて隣接する長尺床材２ａ、２ｂの間に嵌まるとともにねじＡを用いて構造体３と接合する突起部８１と、長尺床材２の下縁部２４を下方に押圧して隣接する長尺床材２ａ、２ｂを連結する押圧部８５とが設けられている。
【００３７】
突起部８１は、図７に示すように、デッキ固定部材８の底部を形成している。この突起部８１の突起端面８２には、その長手方向中央部にねじ孔８３が設けられている。また、突起部８１の側面８４は、隣接する長尺床材２ａ、２ｂの相互間隔を保持させるスペーサであり、突起端面８２の両端から立ち上げ形成されている。
【００３８】
押圧部８５は、図７に示すように、突起部８１の両側面８４をそれぞれ外方に向けて直角に折曲するとともに、さらにその先端８６を上方に向けて直角に折曲することにより形成されている。
【００３９】
次に、このデッキの組立工程について、図７を用いて以下に詳説する。
桁（図示省略）と根太３１とを直交状態に接合して構造体３が形成される。形成された構造体３上に、根太３１と垂直方向に長尺床材２ａが配される。構造体３上に配された長尺床材２ａに沿ってデッキ固定部材８が、長尺床材２ａの下縁部２４上に押圧部８５が沿うように配される。その時、図７に示すように、デッキ固定部材８の押圧部８５の先端８６が、長尺床材２ａに設けられた連結溝２５の底面２６と沿うように接する。配されたデッキ固定部材８は、ねじＡを突起部８１のねじ孔８３から構造体３に挿通して構造体３に接合される。その時、デッキ固定部材８の押圧部８５が長尺床材２ａの下縁部２４を下方に押圧し、長尺床材２ａが構造体３に固定される。そして、構造体３に固定された長尺床材２ａに隣接させるように長尺床材２ｂが配され、デッキ固定部材８の他の押圧部８５に長尺床材２ｂの下縁部２４が下方に押圧され、図７に示すように、デッキ固定部材８を介して隣接した長尺床材２ａ、２ｂ同士が連結されるとともに長尺床材２ａ、２ｂが構造体３に固定されてデッキ７が組み立てられる。この時、構造体３の上面３２とデッキ固定部材８の突起端面８２との間には、空隙Ｃ（図７参照）が生じている。
【００４０】
上記したように、このデッキ７によれば、デッキ固定部材８の押圧部８５の先端８６を、隣接する長尺床材２ａ、２ｂの相互間隔を保持させるスペーサとして用いることができる。
なお、本実施の形態３では、図７に示すように押圧部８５の先端８６が上方に向けて直角に折曲されているが、これに限定されるものではなく、長尺床材に設けられた連結溝の底面と沿うように接していれば、押圧部の先端は連結溝の底面の形状に合わせて任意に形成されてもよい。
【００４１】
【発明の効果】
以上、説明したように、本発明にかかるデッキによれば、歩行の際に危険個所となる、緊結材のデッキ表面への突出を排除するとともに、作業性及び施工性に優れ、構造体上での長尺床材の位置調整を容易にすることができる。
【００４２】
すなわち、長尺床材にその下面に水平な下縁部とを有する連結溝が設けられ、デッキ固定部材に突起部と押圧部とが設けられているので、デッキ固定部材をデッキ表面から突出させずに長尺床材の下縁部を下方に押圧して長尺床材を構造体に固定することができ、その結果、施工外観を向上させることができる。さらに、突起部の突起方向の長さが、長尺床材の下面から下縁部への高さよりも短く設定されているので、長尺床材が構造体に固定された際、構造体の上面とデッキ固定部材の突起部端面との間に空隙を生じさせることができ、突起部が支点となって押圧部の長尺床材を押圧する力に弾性力が生じて、長尺床材を構造体に強く固定することができる。また、デッキ固定部材の押圧部が長尺床材の下面と水平な下縁部を下方に押圧しているので、押圧部を下縁部上でスライドさせることができる。そのため、加熱および吸水などが原因となり長尺床材が伸縮しても、その伸縮に追随してデッキ固定部材の押圧部が長尺床材の下縁部上でスライドして、押圧部により押圧している長尺床材の下縁部が割れたり、その押圧部が長尺床材の下縁部から外れるのを防止することができる。
【００４３】
また、この発明によれば、長尺床材の下縁部をデッキ固定部材の押圧部が押圧しながらスライドすることができるので、長尺床材を構造体上でスライドさせて位置調整することが可能となる。そのため、デッキの使用状況および組立状況に応じて目地幅の寸法を調節することができる。
【００４４】
また、本発明にかかるデッキ固定部材を、構造体上に隣接して固定する長尺床材間の目地決め用スペーサとして用いることができ、１つ１つ目地幅を合わせながら長尺床材を構造体に固定する必要がなくなり、施工時間を短縮することができる。
【図面の簡単な説明】
【図１】本実施の形態１にかかるデッキの概略構成図である。
【図２】本実施の形態１にかかるデッキに用いた長尺床材の前面図である。
【図３】本実施の形態１にかかるデッキに用いたデッキ固定部材の斜視図である。
【図４】本実施の形態１にかかるデッキの、長尺床材を構造体上でスライドさせた状態の図である。
【図５】本実施の形態２にかかるデッキの概略構成図である。
【図６】本実施の形態２にかかるデッキに用いたデッキ固定部材の斜視図である。
【図７】本実施の形態２にかかるデッキの概略構成図である。
【図８】（ａ）は、突付けの方法により根太上に長尺床材を接合した従来のデッキの概略構成図であり、（ｂ）は、実矧ぎの方法により根太上に長尺床材を接合した従来のデッキの概略構成図である。
【符号の説明】
１、５、７　デッキ
２　長尺床材
２１　板傍
２２　上縁部
２３　下面
２４　下縁部
２５　連結溝
３　構造体
４、６、８　デッキ固定部材
４１、６１、８１　突起部
４５、６６、８５　押圧部
【図１】
2004027724.tif 000003
【図２】
2004027724.tif 000004
【図３】
2004027724.tif 000005
【図４】
2004027724.tif 000006
【図５】
2004027724.tif 000007
【図６】
2004027724.tif 000008
【図７】
2004027724.tif 000009
【図８】
2004027724.tif 000010